(57)【要約】【課題】底面積が狭いカメラであっても台上に自立させることが可能なカメラスタンドを提供する。【解決手段】写真を撮るためにカメラ（４）を載置するカメラスタンド（１）であって、支持部材（２）と、支持部材（２）に取り付けられたテーブル（３）と、テーブル（３）上にカメラ（４）を自立できるように補助する自立補助具（５）とを備えることを特徴とする。【選択図】図１
0003179437.tif 000002
【実用新案登録請求の範囲】
【請求項１】
写真を撮るためにカメラを載置するカメラスタンドであって、
支持部材と、
前記支持部材に取り付けられたテーブルと、
前記テーブル上に前記カメラを自立できるように補助する自立補助具と
を備える
ことを特徴とするカメラスタンド。
【請求項２】
前記自立補助部は、前記テーブル上に取り付けられるか載置される柱体を有し、前記柱体には前記カメラの側部が差し込まれる溝部が形成されている
ことを特徴とする請求項１記載のカメラスタンド。
【請求項３】
前記溝部には、前記柱体の内方へ向かって溝幅がより狭くなるようにテーパが形成されている
ことを特徴とする請求項２記載のカメラスタンド。
【請求項４】
前記テーブルまたは前記自立補助部は前記支持部材に対し方向位置を調整可能である
ことを特徴とする請求項２記載のカメラスタンド。
【請求項５】
前記自立補助具は、前記テーブルの上面に形成された溝部を有し、前記カメラの側部が前記溝部に差し込まれる
ことを特徴とする請求項１記載のカメラスタンド。
【請求項６】
前記テーブルには、自立する前記カメラのレンズ側に、下方に向かって傾斜する傾斜面が形成されている
ことを特徴とする請求項１記載のカメラスタンド。
【請求項７】
使用方法を示す看板が前記テーブルまたは前記支持部材に取り付けられている
ことを特徴とする請求項１記載のカメラスタンド。
【考案の詳細な説明】
【技術分野】
【０００１】
本考案は、カメラスタンドに係り、特にカメラを自立させ屋外で写真をとることを可能にするカメラスタンドに関する。
【背景技術】
【０００２】
観光地や風光明美な景色等のある屋外場所で自分を含めて写真を撮りたくなることはよくあることであり、この場合、携帯用の三脚等を持ち合わせない場合も多くある。一人でそのような屋外場所に居り景色等を背景として自分をも写真に納めようとする場合に、他人に依頼して写真を撮ってもらったり、あるいは他人に頼らずカメラを適当な物の上において写真をとることも行われている。また、複数人からなるグループでそのような屋外場所に居り景色等を背景として写真に納めようとする場合においても、グループの全員を一つの写真に納めようとする場合においては、一人の場合と同様に他人に依頼して写真を撮ってもらうか、あるいは他人に頼らずカメラを適当な物の上において写真をとる必要がある。
【０００３】
一方、コンパクトな折りたたみ式のカメラスタンドとして、カメラと一体的に携帯して用いられるものは種々提案されているが、それでも、折りたたみ式のカメラスタンドを常に携帯することは煩わしいことである。また、カメラによる撮像を想定しておらずカメラスタンドを携帯していない場合であっても急に写真をとり撮りたくなる場合も少なくないことである。
【先行技術文献】
【特許文献】
【０００４】
【特許文献１】特開２０１０−１１３３６２号公報
【考案の概要】
【考案が解決しようとする課題】
【０００５】
そこで、多くの人がカメラで写真を撮りたくなると想定される場所に、カメラスタンドを固定的に立設しておくことが考えられる。カメラ撮影者はカメラスタンドの台上にカメラを置き、自分を及び風光明美な景色を背景としてセルフタイマーで写真撮影することが可能になる。
【０００６】
一方、近年、デジタルカメラ、スマートフォン等のカメラ付き携帯電話は薄型化が図られており、これらの底面積が狭くてカメラスタンドの台上に置いても自立できないという問題が考えられる。
【０００７】
そこで、本考案の目的は、上記従来の技術が有する問題点を解消し、底面積が狭いカメラであっても台上に自立させることが可能なカメラスタンドを提供することである。
【課題を解決するための手段】
【０００８】
上記目的を達成するために、本願考案に係るカメラスタンドは、写真を撮るためにカメラを載置するカメラスタンドであって、支持部材と、前記支持部材に取り付けられたテーブルと、前記テーブル上に前記カメラを自立できるように補助する自立補助具とを備えることを特徴とする。
【０００９】
また、前記自立補助部は、前記テーブル上に取り付けられるか載置される柱体を有し、前記柱体には前記カメラの側部が差し込まれる溝部が形成されていることを特徴とする。
【００１０】
また、前記溝部には、前記柱体の内方へ向かって溝幅がより狭くなるようにテーパが形成されていることを特徴とする。
【００１１】
また、前記テーブルまたは前記自立補助部は前記支持部材に対し方向位置を調整可能であることを特徴とする。
【００１２】
また、前記自立補助具は、前記テーブルの上面に形成された溝部を有し、前記カメラの側部が前記溝部に差し込まれることを特徴とする。
【００１３】
また、前記テーブルには、自立する前記カメラのレンズ側に、下方に向かって傾斜する傾斜面が形成されていることを特徴とする。
【００１４】
また、使用方法を示す看板が前記テーブルまたは前記支持部材に取り付けられていることを特徴とする。
【考案の効果】
【００１５】
本願考案の構成によれば、カメラスタンドは自立補助具を備えているので、自立し難いカメラであっても自立させて写真をとることが可能になる。
【００１６】
また、自立補助部はテーブル上に取り付けられるか載置される柱体を有し、柱体にはカメラの側部が差し込まれる溝部が形成されているので、カメラスタンドを簡易な構成で提供することができる。
【００１７】
また、溝部には、前記柱体の内方へ向かって溝幅がより狭くなるようにテーパが形成されているので、異なる側部幅を有するカメラに対しても容易に対応することができる。
【００１８】
また、テーブルまたは自立補助部は支持部材に対し方向位置を調整可能であるので、カメラを所望な方向に自立させることができる。
【００１９】
また、自立補助具はテーブルの上面に形成された溝部を有し、カメラの側部が溝部に差し込まれるので、自立補助具をテーブルと一体的に構成することができる。
【００２０】
また、テーブルには、自立するカメラのレンズ側に、下方に向かって傾斜する傾斜面が形成されているので、広角な写真撮影が可能になる。
【００２１】
また、使用方法を示す看板がテーブルまたは支持部材に取り付けられているので、カメラスタンドの利用の便を供することができる。
【図面の簡単な説明】
【００２２】
【図１】本願考案のカメラスタンドの一実施形態を示す図。
【図２】本願考案に係るカメラスタンドにおける自立補助具の例を示す斜視図。
【図３】自立補助具にカメラが縦長に支持された状態を示す図。
【図４】自立補助具にカメラが横長に支持された状態を示す図。
【図５】自立補助具がテーブルに固定されるとともに、自立補助具がテーブル上で回動可能であり、テーブルがポールに固定されるとともに、テーブルがポールに対し回動可能であることを示す図。
【図６】テーブルに傾斜面が形成されている例を示す図。
【図７】自立補助具がテーブル自体に形成されている例を示す図。
【図８】自立補助具の他の形態を示す図。
【考案を実施するための形態】
【００２３】
本願考案の実施の形態について図面を参照して以下に説明する。  
図１は、観光地等の屋外場所に設置されたカメラスタンド１を示す。カメラスタンド１は、地面に固定された支持部材としてのポール２と、ポール２の頂部に水平に取り付けられたテーブル３と、テーブル３の上面にカメラ４を自立できるように補助する自立補助具５とを備えている。カメラ４は、例えばスマートフォン等のカメラ付き携帯電話に付属するものであり、携帯電話が薄型化されているために、テーブル３上には安定して自立させることが容易でなくセルフシャッターをきれないものがある。
【００２４】
自立補助具５は図２に示すように、例えば金属製の円柱体５ａを有し、円柱体５ａにはカメラ４の薄型化された側部が差し込まれる溝部５ｂが上下方向に切り取られて形成されている。溝部５ｂの長手方向がテーブル３の上面に対し垂直に位置している。
【００２５】
溝部５ｂには、円柱体５ａの中心側の内方へ向かって溝幅がより狭くなるようにテーパ５ｃが形成されている。カメラ４の横幅の大きさが携帯電話の機種によって種々あることが考えられる。これに対して、テーパ５ｃの形成された溝部５ｂに差し込むことによって、カメラ４の側端部をテーパ５ｃの形成された溝部５ｂの壁面に容易に接触させることができるようになり、カメラ４を自立させることが可能になる。なお、ここで、自立とは、カメラ４が所望の姿勢を普通に維持できることをいうのであり、他の部材と分離して単独に立つことを意味するのではない。
【００２６】
カメラ４の向きと溝部５ｂとの位置関係については、図３に示すように、カメラ４の長手方向の側部を溝部５ｂに挿入してカメラ４を自立させてもよく、あるいは図４に示すように、カメラ４の短手方向の側部を溝部５ｂに挿入してカメラ４を自立させてもよい。
【００２７】
また、図１に示すように、カメラスタンド１には、案内板８を設けるにようにしてもよい。案内板８には例えば、カメラスタンド１の利用の普及を広めることを考慮し、カメラスタンド１の使用例等を絵等で示し、観光者にカメラスタンド１の積極的な利用を推奨することも可能である。案内板８はテーブル３に取り付けてもよく、あるいはポール２に取り付けてもよい。
【００２８】
図５に示すように、自立補助具５は、ボルト１０をテーブル３の下面側から通し、テーブル３上に固定することが可能である。この場合、ボルト１０が自立補助具５から抜けないようにするとともに、矢印Ａで示されるように自立補助具５をテーブル３上で回動できるようにしておくことが望ましい。これによって、自立補助具５をボルト１０とともにテーブル３に対して矢印Ａ方向に回し、カメラ４を挟み込む溝部５ｂを所望の方向に選択することが可能になる。
【００２９】
また、図５に示すように、テーブル３は、ボルト１１をテーブル３の上面側から通し、ポール２の頂部に固定することが可能である。この場合、ボルト１１がポール２から抜けないようにするとともに、矢印Ｂで示されるようにテーブル３をポール２の頂部で回動できるようにしておくことも可能である。これによって、テーブル３上の自立補助具５をボルト１１とともにポール２に対して矢印Ｂ方向に回し、カメラ４を挟み込む溝部５ｂを所望の方向に選択することが可能になる。
【００３０】
なお、背景として撮影したい場所との関係で溝部５ｂを所望の方向に選択するためには、自立補助具５をボルト１０とともにテーブル３に対して矢印Ａ方向に回すようにしておくことと、テーブル３をボルト１１とともにポール２に対して矢印Ｂ方向に回すようにすることとのいずれか一方があればよい。
【００３１】
図５に示した例では、自立補助具５がボルト１０によってテーブル３上に固定されていたが、これに限らず、図６に示すように、自立補助具５を例えば金属製の鎖１２で連結するようにしてもよい。鎖１２の一端は自立補助具５に連結され、他端はテーブル３に下面に連結されている。図６（ａ）は自立補助具５の非使用時の状態を示し、図６（ｂ）は自立補助具５の使用時の状態を示す。カメラ４を挟み込む溝部５ｂを所望の方向に選択するためには、図６（ｂ）において、自立補助具５をテーブル３上に載置するときに自立補助具５を所望の方向に載置すればよい。
【００３２】
図７は、テーブル３に傾斜面３ａを形成した場合を示す。矢印Ｃは、自立補助具５の溝部５ｂに支持されたカメラ４のレンズが向く方向あるいはレンズから光線が放射される方向を示す。傾斜面３ａは矢印Ｃの方向に下方で傾斜しており、カメラ４はテーブル３の平坦面に載置されている。このように、テーブル３に傾斜面３ａを形成することによって、カメラ４のレンズに向かって入射する光線中にテーブル３で反射した迷光を混入させないようにしたり、広角に写真撮影することの障害にならないようにすることができる。
【００３３】
次に、図８を参照して、自立補助具５の他の例を示す。図８に示すように、テーブル３の上面自体の両側に一対の溝部１４ａ、１４ａが形成されている。溝部１４ａには、外側に向かって溝幅がより狭くなるようにテーパ１４ｂが形成されている。カメラ４の薄型化された側部を一対の溝部１４ａ、１４ａの少なくとも一方に挟み込み、カメラ４を自立させるようにすることができる。
【００３４】
なお、上述の本願考案の実施の形態の説明において、支持部材としてポール２を例にとり、テーブル３はポール２の頂部に取り付けられている例を示した。しかしながら、テーブル３が取り付けられる支持部材はポール２に限らず、テーブル３が取り付けられるものであれば他のものでもよく、支持部材として例えば既存の橋の欄干を採用し欄干上にテーブル３が取り付けてもよい。また、支持部材としては、図１に示すような保護用デッキを採用しでもよく、また、既存のものか新設するものかを問わず、専用のものか他の用途との兼用のものであっても、テーブル３が取り付けられるものであれば支持部材として用いることが可能である。
【００３５】
また、ポール２の形状としては円柱でも角柱でもよく、また屈曲していてもよい。また、円柱体５ａは柱体の一例であり、これに代えて柱体としては角柱体であってもよい。
【００３６】
また、上述の本願考案の実施の形態の説明において、テーブル３上にカメラ４を自立できるように補助する自立補助具５として、自立補助具５に溝部５ｂを形成し溝部にカメラ４を自立させる例を示したが、本願考案はこれに限らず、自立補助具としては、自立し難いカメラ４を自立するように支持するものであれば他のものでもよく、例えば、ゴムバンド等を用いてカメラ４をテーブル３上に自立させるようにしてもよい。
【符号の説明】
【００３７】
１  カメラスタンド
２  支持部材（ポール）
３  テーブル
４  カメラ
５  自立補助具
５ａ  円柱体
５ｂ  溝部
５ｃ  テーパ
８  案内板
【図１】
0003179437.tif 000003
【図２】
0003179437.tif 000004
【図３】
0003179437.tif 000005
【図４】
0003179437.tif 000006
【図５】
0003179437.tif 000007
【図６】
0003179437.tif 000008
【図７】
0003179437.tif 000009
【図８】
0003179437.tif 000010